(57)【要約】【課題】固定鉄心が磁気飽和することを抑制できるとともに、プランジャが固定鉄心に対して傾いてしまうことを抑制すること。【解決手段】プランジャ４２が固定鉄心４３に対して傾こうとしても、中央吸着面５３ａとプランジャ４２との間で生じる吸引力によって、プランジャ４２における固定鉄心４３に対する傾きが抑えられる。よって、プランジャ４２が固定鉄心４３に対して傾いて、第１外吸着面５１ａとプランジャ４２との間の距離と、第２外吸着面５２ａとプランジャ４２との間の距離とに差が大きくなってしまうことが抑えられる。さらに、中央吸着面５３ａの面積が、第１外吸着面５１ａの面積、及び第２外吸着面５２ａの面積よりも大きいため、例えば、中央吸着面５３ａの面積が、第１外吸着面５１ａの面積、及び第２外吸着面５２ａの面積以下である場合に比べると、中央吸着面５３ａに磁束が流れ易くなり、固定鉄心４３が磁気飽和することが抑制される。【選択図】図３
2020037960.tif 000002
【特許請求の範囲】
【請求項１】
コイルと、
前記コイルの励磁により移動するプランジャと、
前記プランジャを吸着する固定鉄心と、
前記プランジャが前記固定鉄心に対して離間する方向へ前記プランジャを付勢するプランジャばねと、を有するソレノイドを備えた電磁弁であって、
前記固定鉄心は、
ベース部と、
前記ベース部から立設されるとともに互いに平行に延びる第１外脚部及び第２外脚部と、
前記ベース部から立設されるとともに前記第１外脚部と前記第２外脚部との間に位置する中央脚部と、を有するＥ字型であり、
前記第１外脚部における前記ベース部とは反対側の端面は、前記プランジャを吸着する第１外吸着面であり、
前記第２外脚部における前記ベース部とは反対側の端面は、前記プランジャを吸着する第２外吸着面であり、
前記中央脚部における前記ベース部とは反対側の端面は、前記プランジャを吸着する中央吸着面であり、
前記中央吸着面の面積は、前記第１外吸着面の面積、及び前記第２外吸着面の面積よりも大きいことを特徴とする電磁弁。
【請求項２】
前記固定鉄心は、
前記第１外脚部の少なくとも一部分を形成するとともに前記ベース部及び前記中央脚部それぞれの一部分を形成する第１Ｕ型コアと、
前記第２外脚部の少なくとも一部分を形成するとともに前記ベース部及び前記中央脚部それぞれの一部分を形成する第２Ｕ型コアと、を少なくとも有し、
前記固定鉄心は、前記第１Ｕ型コア及び前記第２Ｕ型コアを少なくとも積層することにより構成されていることを特徴とする請求項１に記載の電磁弁。
【請求項３】
前記固定鉄心は、前記ベース部、前記第１外脚部、前記第２外脚部、及び前記中央脚部それぞれの一部分を形成するＥ型コアをさらに有しており、
前記固定鉄心は、前記第１Ｕ型コア、前記Ｅ型コア、及び前記第２Ｕ型コアの順に積層することにより構成されていることを特徴とする請求項２に記載の電磁弁。
【請求項４】
前記プランジャを収容するプランジャ室を形成するボディと、
前記ボディに対してボルトを介して取り付けられる矩形ブロック状である樹脂製のハウジングと、を備え、
前記固定鉄心及び前記コイルは、前記ハウジングに樹脂モールドされており、
前記ハウジングは、前記第１Ｕ型コア及び前記第２Ｕ型コアの積層方向で前記第１Ｕ型コア側に位置する第１基準外面と、前記積層方向で前記第２Ｕ型コア側に位置する第２基準外面と、を有し、
前記第１基準外面及び前記第２基準外面は互いに平行に延びており、
前記固定鉄心は、前記第１基準外面及び前記第２基準外面に対して傾いた状態で前記ハウジングに対して配置されており、
前記ハウジングには、前記第１Ｕ型コアにおける前記第１外脚部の少なくとも一部分を形成する部位と前記第１基準外面との間、及び前記第２Ｕ型コアにおける前記第２外脚部の少なくとも一部分を形成する部位と前記第２基準外面との間に、前記ボルトがねじ込まれる雌ねじ孔がそれぞれ形成されていることを特徴とする請求項２又は請求項３に記載の電磁弁。
【請求項５】
前記プランジャを収容するプランジャ室を形成するボディと、
前記ボディに対してボルトを介して取り付けられる矩形ブロック状である樹脂製のハウジングと、を備え、
前記固定鉄心及び前記コイルは、前記ハウジングに樹脂モールドされており、
前記ハウジングは、前記第１Ｕ型コア及び前記第２Ｕ型コアの積層方向で前記第１Ｕ型コア側に位置する第１基準外面と、前記積層方向で前記第２Ｕ型コア側に位置する第２基準外面と、を有し、
前記第１基準外面及び前記第２基準外面は互いに平行に延びており、
前記第１Ｕ型コアにおける前記第１外脚部を形成する部位は、前記第１Ｕ型コアにおける前記中央脚部を形成する部位よりも前記第２基準外面寄りにオフセットしており、
前記第２Ｕ型コアにおける前記第２外脚部を形成する部位は、前記第２Ｕ型コアにおける前記中央脚部を形成する部位よりも前記第１基準外面寄りにオフセットしており、
前記ハウジングには、前記第１Ｕ型コアにおける前記第１外脚部の少なくとも一部分を形成する部位と前記第１基準外面との間、及び前記第２Ｕ型コアにおける前記第２外脚部の少なくとも一部分を形成する部位と前記第２基準外面との間に、前記ボルトがねじ込まれる雌ねじ孔がそれぞれ形成されていることを特徴とする請求項２又は請求項３に記載の電磁弁。
【請求項６】
前記コイルは、前記第１外脚部の外側及び前記第２外脚部の外側にそれぞれ巻回されていることを特徴とする請求項１〜請求項５のいずれか一項に記載の電磁弁。
【発明の詳細な説明】
【技術分野】
【０００１】
本発明は、コイルの励磁により移動するプランジャを有するソレノイドを備えた電磁弁に関する。
【背景技術】
【０００２】
電磁弁のソレノイドは、コイルと、コイルの励磁により移動するプランジャと、プランジャを吸着する吸着面を有する固定鉄心と、プランジャが固定鉄心の吸着面に対して離間する方向へプランジャを付勢するプランジャばねと、を有している。例えば特許文献１の電磁弁では、Ｕ字型の固定鉄心が採用されている。固定鉄心は、ベース部と、ベース部から立設されるとともに互いに平行に延びる第１脚部及び第２脚部とから構成されている。第１脚部におけるベース部とは反対側の端面、及び第２脚部におけるベース部とは反対側の端面それぞれは、プランジャを吸着する吸着面になっている。第１脚部の外側及び第２脚部の外側には、コイルがそれぞれ巻回されている。そして、各コイルへの通電が行われると、固定鉄心及びプランジャを通過する磁束が生じ、プランジャがプランジャばねの付勢力に抗して第１脚部の吸着面及び第２脚部の吸着面に接近する方向へ移動する。
【先行技術文献】
【特許文献】
【０００３】
【特許文献１】特許第５５０２２４０号公報
【発明の概要】
【発明が解決しようとする課題】
【０００４】
ところで、固定鉄心が磁気飽和すると、第１脚部の吸着面とプランジャとの間、及び第２脚部の吸着面とプランジャとの間で生じる吸引力が小さくなって、プランジャが固定鉄心に対して傾いてしまう場合がある。プランジャが固定鉄心に対して傾くと、第１脚部の吸着面とプランジャとの間の距離と、第２脚部の吸着面とプランジャとの間の距離とに差が生じる。その結果、第１脚部の吸着面とプランジャとの間で生じる吸引力と、第２脚部の吸着面とプランジャとの間で生じる吸引力とに差が生じるため、プランジャが固定鉄心に対して傾いた状態で保持されてしまう。
【０００５】
本発明は、上記課題を解決するためになされたものであって、その目的は、固定鉄心が磁気飽和することを抑制できるとともに、プランジャが固定鉄心に対して傾いてしまうことを抑制できる電磁弁を提供することにある。
【課題を解決するための手段】
【０００６】
上記課題を解決する電磁弁は、コイルと、前記コイルの励磁により移動するプランジャと、前記プランジャを吸着する固定鉄心と、前記プランジャが前記固定鉄心に対して離間する方向へ前記プランジャを付勢するプランジャばねと、を有するソレノイドを備えた電磁弁であって、前記固定鉄心は、ベース部と、前記ベース部から立設されるとともに互いに平行に延びる第１外脚部及び第２外脚部と、前記ベース部から立設されるとともに前記第１外脚部と前記第２外脚部との間に位置する中央脚部と、を有するＥ字型であり、前記第１外脚部における前記ベース部とは反対側の端面は、前記プランジャを吸着する第１外吸着面であり、前記第２外脚部における前記ベース部とは反対側の端面は、前記プランジャを吸着する第２外吸着面であり、前記中央脚部における前記ベース部とは反対側の端面は、前記プランジャを吸着する中央吸着面であり、前記中央吸着面の面積は、前記第１外吸着面の面積、及び前記第２外吸着面の面積よりも大きい。
【０００７】
上記電磁弁において、前記固定鉄心は、前記第１外脚部の少なくとも一部分を形成するとともに前記ベース部及び前記中央脚部それぞれの一部分を形成する第１Ｕ型コアと、前記第２外脚部の少なくとも一部分を形成するとともに前記ベース部及び前記中央脚部それぞれの一部分を形成する第２Ｕ型コアと、を少なくとも有し、前記固定鉄心は、前記第１Ｕ型コア及び前記第２Ｕ型コアを少なくとも積層することにより構成されているとよい。
【０００８】
上記電磁弁において、前記固定鉄心は、前記ベース部、前記第１外脚部、前記第２外脚部、及び前記中央脚部それぞれの一部分を形成するＥ型コアをさらに有しており、前記固定鉄心は、前記第１Ｕ型コア、前記Ｅ型コア、及び前記第２Ｕ型コアの順に積層することにより構成されているとよい。
【０００９】
上記電磁弁において、前記プランジャを収容するプランジャ室を形成するボディと、前記ボディに対してボルトを介して取り付けられる矩形ブロック状である樹脂製のハウジングと、を備え、前記固定鉄心及び前記コイルは、前記ハウジングに樹脂モールドされており、前記ハウジングは、前記第１Ｕ型コア及び前記第２Ｕ型コアの積層方向で前記第１Ｕ型コア側に位置する第１基準外面と、前記積層方向で前記第２Ｕ型コア側に位置する第２基準外面と、を有し、前記第１基準外面及び前記第２基準外面は互いに平行に延びており、前記固定鉄心は、前記第１基準外面及び前記第２基準外面に対して傾いた状態で前記ハウジングに対して配置されており、前記ハウジングには、前記第１Ｕ型コアにおける前記第１外脚部の少なくとも一部分を形成する部位と前記第１基準外面との間、及び前記第２Ｕ型コアにおける前記第２外脚部の少なくとも一部分を形成する部位と前記第２基準外面との間に、前記ボルトがねじ込まれる雌ねじ孔がそれぞれ形成されているとよい。
【００１０】
上記電磁弁において、前記プランジャを収容するプランジャ室を形成するボディと、前記ボディに対してボルトを介して取り付けられる矩形ブロック状である樹脂製のハウジングと、を備え、前記固定鉄心及び前記コイルは、前記ハウジングに樹脂モールドされており、前記ハウジングは、前記第１Ｕ型コア及び前記第２Ｕ型コアの積層方向で前記第１Ｕ型コア側に位置する第１基準外面と、前記積層方向で前記第２Ｕ型コア側に位置する第２基準外面と、を有し、前記第１基準外面及び前記第２基準外面は互いに平行に延びており、前記第１Ｕ型コアにおける前記第１外脚部を形成する部位は、前記第１Ｕ型コアにおける前記中央脚部を形成する部位よりも前記第２基準外面寄りにオフセットしており、前記第２Ｕ型コアにおける前記第２外脚部を形成する部位は、前記第２Ｕ型コアにおける前記中央脚部を形成する部位よりも前記第１基準外面寄りにオフセットしており、前記ハウジングには、前記第１Ｕ型コアにおける前記第１外脚部の少なくとも一部分を形成する部位と前記第１基準外面との間、及び前記第２Ｕ型コアにおける前記第２外脚部の少なくとも一部分を形成する部位と前記第２基準外面との間に、前記ボルトがねじ込まれる雌ねじ孔がそれぞれ形成されているとよい。
【００１１】
上記電磁弁において、前記コイルは、前記第１外脚部の外側及び前記第２外脚部の外側にそれぞれ巻回されているとよい。
【発明の効果】
【００１２】
この発明によれば、固定鉄心が磁気飽和することを抑制できるとともに、プランジャが固定鉄心に対して傾いてしまうことを抑制できる。
【図面の簡単な説明】
【００１３】
【図１】第１の実施形態における電磁弁の断面図。
【図２】電磁弁の一部を拡大して示す断面図。
【図３】ソレノイド周辺を拡大して示す断面図。
【図４】固定鉄心の分解斜視図。
【図５】固定鉄心の斜視図。
【図６】図１における６−６線断面図。
【図７】第２の実施形態における固定鉄心の分解斜視図。
【図８】固定鉄心の斜視図。
【図９】電磁弁の断面図。
【図１０】別の実施形態における固定鉄心の分解斜視図。
【図１１】固定鉄心の斜視図。
【発明を実施するための形態】
【００１４】
（第１の実施形態）
以下、電磁弁を具体化した第１の実施形態を図１〜図６にしたがって説明する。
図１に示すように、電磁弁１０は、長四角筒状のボディ１１と、ボディ１１に対してボルト１２を介して取り付けられる矩形ブロック状のハウジング１３と、を備えている。ボディ１１及びハウジング１３は、例えば、合成樹脂製である。よって、ボディ１１及びハウジング１３は非磁性材製である。
【００１５】
ボディ１１は、ボディ本体部１１ａ及びフランジ部１１ｂを有している。フランジ部１１ｂは、ボディ本体部１１ａの外周面におけるハウジング１３側の端部からボディ１１の軸方向に対して直交する方向へ突出する長四角環状である。ハウジング１３は、フランジ部１１ｂに対してボルト１２を介して取り付けられている。
【００１６】
図２に示すように、ボディ１１には、ボディ１１の軸方向に貫通する円孔状の貫通孔１４が形成されている。ボディ１１には、供給ポート１５、第１出力ポート１６、第２出力ポート１７、第１排出ポート１８、及び第２排出ポート１９が形成されている。供給ポート１５、第１出力ポート１６、第２出力ポート１７、第１排出ポート１８、及び第２排出ポート１９は、貫通孔１４にそれぞれ連通するとともにボディ１１の軸方向において、第１排出ポート１８、第１出力ポート１６、供給ポート１５、第２出力ポート１７、及び第２排出ポート１９の順に並んでボディ１１に形成されている。供給ポート１５、第１出力ポート１６、第２出力ポート１７、第１排出ポート１８、及び第２排出ポート１９における貫通孔１４とは反対側の端部は、ボディ１１の外面にそれぞれ開口している。本実施形態の電磁弁１０は、５ポート切換弁である。
【００１７】
貫通孔１４は、第１大径孔１４ａ、第１雌ねじ孔１４ｂ、第１中径孔１４ｃ、小径孔１４ｄ、第２中径孔１４ｅ、第２雌ねじ孔１４ｆ、第２大径孔１４ｇ、及び収容孔１４ｈを有している。第１大径孔１４ａ、第１雌ねじ孔１４ｂ、第１中径孔１４ｃ、小径孔１４ｄ、第２中径孔１４ｅ、第２雌ねじ孔１４ｆ、第２大径孔１４ｇ、及び収容孔１４ｈは、ボディ１１の軸方向の一端に位置にする第１端面１１１からボディ１１の軸方向の他端に位置する第２端面１１２に向けてこの順で配置されている。ボディ１１の第１端面１１１は、ボディ１１におけるハウジング１３とは反対側の端面である。ボディ１１の第２端面１１２は、ボディ１１におけるハウジング１３側の端面である。第１大径孔１４ａは、ボディ１１の第１端面１１１に開口している。収容孔１４ｈは、ボディ１１の第２端面１１２に開口している。第１大径孔１４ａ、第１雌ねじ孔１４ｂ、第１中径孔１４ｃ、小径孔１４ｄ、第２中径孔１４ｅ、第２雌ねじ孔１４ｆ、第２大径孔１４ｇ、及び収容孔１４ｈの軸心はそれぞれ一致している。
【００１８】
第１大径孔１４ａの孔径と第２大径孔１４ｇの孔径とは同じである。第１中径孔１４ｃの孔径と第２中径孔１４ｅの孔径とは同じである。第１中径孔１４ｃ及び第２中径孔１４ｅの孔径は、第１大径孔１４ａ及び第２大径孔１４ｇの孔径よりも小さい。小径孔１４ｄの孔径は、第１中径孔１４ｃ及び第２中径孔１４ｅの孔径よりも小さい。ボディ１１は、小径孔１４ｄと第１中径孔１４ｃとを接続するとともにボディ１１の軸方向に対して直交する方向に延びる環状の第１段差面１４１を有している。また、ボディ１１は、小径孔１４ｄと第２中径孔１４ｅとを接続するとともにボディ１１の軸方向に対して直交する方向に延びる環状の第２段差面１４２を有している。
【００１９】
さらに、収容孔１４ｈの孔径は、第２大径孔１４ｇの孔径よりも大きい。そして、ボディ１１は、収容孔１４ｈと第２大径孔１４ｇとを接続するとともにボディ１１の軸方向に対して直交する方向に延びる環状の第３段差面１４３を有している。
【００２０】
ボディ１１には、第１段差面１４１から第１中径孔１４ｃに向けて突出する円環状の第１供給弁座２１が形成されている。また、ボディ１１には、第２段差面１４２から第２中径孔１４ｅに向けて突出する円環状の第２供給弁座２２が形成されている。よって、第１供給弁座２１及び第２供給弁座２２は、第１段差面１４１及び第２段差面１４２それぞれからボディ１１の軸方向で互いに離間する方向へ突出しており、ボディ１１の軸方向で互いに背向している。第１供給弁座２１及び第２供給弁座２２の内径は同じである。第１供給弁座２１及び第２供給弁座２２の内径は、小径孔１４ｄの孔径と同じであり、第１供給弁座２１及び第２供給弁座２２の内周面は、小径孔１４ｄの内周面と同一面上に位置している。
【００２１】
ボディ１１には、有底円筒状の第１プラグ２３が取り付けられている。第１プラグ２３の外周面には、第１雌ねじ孔１４ｂに螺合する第１雄ねじ部２３ａが形成されている。第１プラグ２３は、第１雄ねじ部２３ａが第１雌ねじ孔１４ｂに螺合されることにより、ボディ１１の貫通孔１４に取り付けられている。第１プラグ２３は、第１排出ポート１８における貫通孔１４への開口周囲を通過して、第１出力ポート１６における貫通孔１４への開口周囲まで延びている。第１プラグ２３の内側は、貫通孔１４に連通している。第１プラグ２３における第１排出ポート１８と対向する部分には、連通孔２３ｂが形成されている。
【００２２】
第１プラグ２３の外周面には、貫通孔１４の内周面における第１出力ポート１６と第１排出ポート１８との間の部分と第１プラグ２３の外周面との間をシールする円環状の第１シール部材２４ａが装着されている。そして、第１シール部材２４ａによって、貫通孔１４の内周面における第１出力ポート１６と第１排出ポート１８との間の部分と第１プラグ２３の外周面との間を介した第１出力ポート１６と第１排出ポート１８との間の流体の洩れが規制されている。
【００２３】
また、第１プラグ２３の外周面には、貫通孔１４の内周面における第１排出ポート１８よりも第１出力ポート１６とは反対側の部分と第１プラグ２３の外周面との間をシールする円環状の第２シール部材２４ｂが装着されている。そして、第２シール部材２４ｂによって、貫通孔１４の内周面における第１排出ポート１８よりも第１出力ポート１６とは反対側の部分と第１プラグ２３の外周面との間を介した第１排出ポート１８からの流体の洩れが規制されている。
【００２４】
第１プラグ２３の先端面は、ボディ１１の軸方向において第１段差面１４１と対向している。第１プラグ２３の先端面には、円環状の第１排出弁座２５が突設されている。第１排出弁座２５は、貫通孔１４内に設けられるとともに第１供給弁座２１とボディ１１の軸方向で対向配置されている。第１排出弁座２５の内径は、第１供給弁座２１の内径と同じである。貫通孔１４における第１供給弁座２１と第１排出弁座２５との間には、第１弁室２６が形成されている。
【００２５】
ボディ１１には、円筒状の第２プラグ２７が取り付けられている。第２プラグ２７の外周面には、第２雌ねじ孔１４ｆに螺合する第２雄ねじ部２７ａが形成されている。第２プラグ２７は、第２雄ねじ部２７ａが第２雌ねじ孔１４ｆに螺合されることにより、ボディ１１の貫通孔１４に取り付けられている。第２プラグ２７は、第２排出ポート１９における貫通孔１４への開口周囲を通過して、第２出力ポート１７における貫通孔１４への開口周囲まで延びている。第２プラグ２７の内側は、貫通孔１４に連通している。第２プラグ２７における第２排出ポート１９と対向する部分には、連通孔２７ｂが形成されている。
【００２６】
第２プラグ２７の外周面には、貫通孔１４の内周面における第２出力ポート１７と第２排出ポート１９との間の部分と第２プラグ２７の外周面との間をシールする円環状の第１シール部材２８ａが装着されている。そして、第１シール部材２８ａによって、貫通孔１４の内周面における第２出力ポート１７と第２排出ポート１９との間の部分と第２プラグ２７の外周面との間を介した第２出力ポート１７と第２排出ポート１９との間の流体の洩れが規制されている。
【００２７】
また、第２プラグ２７の外周面には、貫通孔１４の内周面における第２排出ポート１９よりも第２出力ポート１７とは反対側の部分と第２プラグ２７の外周面との間をシールする円環状の第２シール部材２８ｂが装着されている。そして、第２シール部材２８ｂによって、貫通孔１４の内周面における第２排出ポート１９よりも第２出力ポート１７とは反対側の部分と第２プラグ２７の外周面との間を介した第２排出ポート１９からの流体の洩れが規制されている。
【００２８】
第２プラグ２７の先端面は、ボディ１１の軸方向において第２段差面１４２と対向している。第２プラグ２７の先端面には、円環状の第２排出弁座２９が突設されている。第２排出弁座２９は、貫通孔１４内に設けられるとともに第２供給弁座２２とボディ１１の軸方向で対向配置されている。第２排出弁座２９の内径は、第２供給弁座２２の内径と同じである。貫通孔１４における第２供給弁座２２と第２排出弁座２９との間には、第２弁室３０が形成されている。
【００２９】
供給ポート１５は、貫通孔１４に対して、ボディ１１の軸方向における第１供給弁座２１と第２供給弁座２２との間に位置する部分である小径孔１４ｄに連通している。第１出力ポート１６は、第１弁室２６に連通している。第２出力ポート１７は、第２弁室３０に連通している。第１排出ポート１８は、貫通孔１４における第１弁室２６よりも供給ポート１５とは反対側の部分に連通している。第２排出ポート１９は、貫通孔１４における第２弁室３０よりも供給ポート１５とは反対側の部分に連通している。
【００３０】
電磁弁１０は、金属製の第１弁棒３１及び第２弁棒３２を有している。第１弁棒３１は、第１弁体３１ａを有している。第１弁体３１ａは、第１弁室２６に収容されている。第２弁棒３２は、第２弁体３２ａを有している。第２弁体３２ａは、第２弁室３０に収容されている。第１弁棒３１と第２弁棒３２とは、それぞれの軸線が一致した状態で互いに連結されるとともに貫通孔１４内をボディ１１の軸方向に一体的に往復動可能である。
【００３１】
第１弁体３１ａは、ボディ１１の軸方向で第１供給弁座２１及び第１排出弁座２５の間に配置されている。第１弁体３１ａは、第１供給弁座２１及び第１排出弁座２５に対して接離可能になっている。第２弁体３２ａは、ボディ１１の軸方向で第２供給弁座２２及び第２排出弁座２９の間に配置されている。第２弁体３２ａは、第２供給弁座２２及び第２排出弁座２９に対して接離可能になっている。
【００３２】
第１プラグ２３内には、弁ばね３３が収容されている。弁ばね３３は、第１弁体３１ａが第１排出弁座２５から離間するとともに第２弁体３２ａが第２供給弁座２２から離間する方向へ第１弁棒３１及び第２弁棒３２を付勢している。
【００３３】
図３に示すように、電磁弁１０は、ソレノイド４０を備えている。ソレノイド４０は、二つのコイル４１と、コイル４１の励磁により移動する矩形板状のプランジャ４２と、プランジャ４２を吸着する固定鉄心４３と、プランジャ４２が固定鉄心４３に対して離間する方向へプランジャ４２を付勢するプランジャばね４４と、を有している。
【００３４】
固定鉄心４３は、ベース部５０と、ベース部５０から立設されるとともに互いに平行に延びる第１外脚部５１及び第２外脚部５２と、ベース部５０から立設されるとともに第１外脚部と第２外脚部５２との間に位置する中央脚部５３と、を有するＥ字型である。第１外脚部５１におけるベース部５０とは反対側の端面は、プランジャ４２を吸着する第１外吸着面５１ａである。第２外脚部５２におけるベース部５０とは反対側の端面は、プランジャ４２を吸着する第２外吸着面５２ａである。中央脚部５３におけるベース部５０とは反対側の端面は、プランジャ４２を吸着する中央吸着面５３ａである。
【００３５】
図４に示すように、固定鉄心４３は、複数の第１Ｕ型コア６１と、複数の第２Ｕ型コア６２と、複数のＥ型コア６３と、を有している。各第１Ｕ型コア６１は、薄板平板Ｕ字状の電磁鋼板である。各第１Ｕ型コア６１は、第１Ｕ型コアベース部６１ａと、第１Ｕ型コアベース部６１ａから立設されるとともに互いに平行に延びる第１Ｕ型コア第１脚部６１ｂ及び第１Ｕ型コア第２脚部６１ｃとから形成されている。
【００３６】
各第２Ｕ型コア６２は、薄板平板Ｕ字状の電磁鋼板である。各第２Ｕ型コア６２は、第２Ｕ型コアベース部６２ａと、第２Ｕ型コアベース部６２ａから立設されるとともに互いに平行に延びる第２Ｕ型コア第１脚部６２ｂ及び第２Ｕ型コア第２脚部６２ｃとから形成されている。
【００３７】
各Ｅ型コア６３は、薄板平板Ｅ字状の電磁鋼板である。各Ｅ型コア６３は、Ｅ型コアベース部６３ａと、Ｅ型コアベース部６３ａから立設されるとともに互いに平行に延びるＥ型コア第１外脚部６３ｂ及びＥ型コア第２外脚部６３ｃと、Ｅ型コアベース部６３ａから立設されるとともにＥ型コア第１外脚部６３ｂとＥ型コア第２外脚部６３ｃとの間に位置するＥ型コア中央脚部６３ｄとから構成されている。
【００３８】
各第１Ｕ型コア６１、各第２Ｕ型コア６２、及び各Ｅ型コア６３それぞれの厚みは同じである。そして、固定鉄心４３は、各第１Ｕ型コア６１、各Ｅ型コア６３、及び各第２Ｕ型コア６２の順に積層することにより構成されている。よって、固定鉄心４３は、第１Ｕ型コア６１及び第２Ｕ型コア６２を少なくとも積層することにより構成されている。各第１Ｕ型コア６１、各Ｅ型コア６３、及び各第２Ｕ型コア６２の積層方向に対して直交する方向であって、且つ第１外脚部５１、第２外脚部５２、及び中央脚部５３におけるベース部５０からの延設方向に対して直交する方向を、固定鉄心４３の幅方向とする。
【００３９】
第１Ｕ型コア第１脚部６１ｂにおける第１Ｕ型コアベース部６１ａからの延設方向の長さと、第１Ｕ型コア第２脚部６１ｃにおける第１Ｕ型コアベース部６１ａからの延設方向の長さとは同じである。第１Ｕ型コア第１脚部６１ｂの幅と、第１Ｕ型コア第２脚部６１ｃの幅とは同じである。
【００４０】
第２Ｕ型コア第１脚部６２ｂにおける第２Ｕ型コアベース部６２ａからの延設方向の長さと、第２Ｕ型コア第２脚部６２ｃにおける第２Ｕ型コアベース部６２ａからの延設方向の長さとは同じである。第２Ｕ型コア第１脚部６２ｂの幅と、第２Ｕ型コア第２脚部６２ｃの幅とは同じである。
【００４１】
Ｅ型コア第１外脚部６３ｂにおけるＥ型コアベース部６３ａからの延設方向の長さと、Ｅ型コア第２外脚部６３ｃにおけるＥ型コアベース部６３ａからの延設方向の長さと、Ｅ型コア中央脚部６３ｄにおけるＥ型コアベース部６３ａからの延設方向の長さとは同じである。Ｅ型コア第１外脚部６３ｂの幅と、Ｅ型コア第２外脚部６３ｃの幅と、Ｅ型コア中央脚部６３ｄの幅とは同じである。
【００４２】
第１Ｕ型コア第１脚部６１ｂ、第１Ｕ型コア第２脚部６１ｃ、第２Ｕ型コア第１脚部６２ｂ、第２Ｕ型コア第２脚部６２ｃ、Ｅ型コア第１外脚部６３ｂ、Ｅ型コア第２外脚部６３ｃ、及びＥ型コア中央脚部６３ｄそれぞれの延設方向の長さは同じである。第１Ｕ型コア第１脚部６１ｂ、第１Ｕ型コア第２脚部６１ｃ、第２Ｕ型コア第１脚部６２ｂ、第２Ｕ型コア第２脚部６２ｃ、Ｅ型コア第１外脚部６３ｂ、Ｅ型コア第２外脚部６３ｃ、及びＥ型コア中央脚部６３ｄそれぞれの幅は同じである。
【００４３】
各第１Ｕ型コア６１は、各Ｅ型コア６３に対して、第１Ｕ型コア第１脚部６１ｂがＥ型コア第１外脚部６３ｂと重なり合うとともに、第１Ｕ型コア第２脚部６１ｃがＥ型コア中央脚部６３ｄと重なり合うように積層されている。よって、第１Ｕ型コアベース部６１ａは、Ｅ型コアベース部６３ａにおけるＥ型コア第１外脚部６３ｂとＥ型コア中央脚部６３ｄとを接続している部分に重なり合っている。
【００４４】
各第２Ｕ型コア６２は、各Ｅ型コア６３に対して、第２Ｕ型コア第１脚部６２ｂがＥ型コア第２外脚部６３ｃと重なり合うとともに、第２Ｕ型コア第２脚部６２ｃがＥ型コア中央脚部６３ｄと重なり合うように積層されている。よって、第２Ｕ型コアベース部６２ａは、Ｅ型コアベース部６３ａにおけるＥ型コア第２外脚部６３ｃとＥ型コア中央脚部６３ｄとを接続している部分に重なり合っている。
【００４５】
図５に示すように、固定鉄心４３のベース部５０は、各第１Ｕ型コア６１の第１Ｕ型コアベース部６１ａ、各Ｅ型コア６３のＥ型コアベース部６３ａ、及び各第２Ｕ型コア６２の第２Ｕ型コアベース部６２ａによって形成されている。固定鉄心４３の第１外脚部５１は、各第１Ｕ型コア６１の第１Ｕ型コア第１脚部６１ｂ及び各Ｅ型コア６３のＥ型コア第１外脚部６３ｂによって形成されている。固定鉄心４３の第２外脚部５２は、各第２Ｕ型コア６２の第２Ｕ型コア第１脚部６２ｂ及び各Ｅ型コア６３のＥ型コア第２外脚部６３ｃによって形成されている。固定鉄心４３の中央脚部５３は、各第１Ｕ型コア６１の第１Ｕ型コア第２脚部６１ｃ、各Ｅ型コア６３のＥ型コア中央脚部６３ｄ、及び各第２Ｕ型コア６２の第２Ｕ型コア第２脚部６２ｃによって形成されている。
【００４６】
よって、各第１Ｕ型コア６１は、第１外脚部５１の少なくとも一部分を形成するとともにベース部５０及び中央脚部５３それぞれの一部分を形成している。また、各第２Ｕ型コア６２は、第２外脚部５２の少なくとも一部分を形成するとともにベース部５０及び中央脚部５３それぞれの一部分を形成している。さらに、各Ｅ型コア６３は、ベース部５０、第１外脚部５１、第２外脚部５２、及び中央脚部５３それぞれの一部分を形成している。
【００４７】
各第１Ｕ型コア６１の第１Ｕ型コア第１脚部６１ｂの先端部、及び各Ｅ型コア６３のＥ型コア第１外脚部６３ｂの先端部は、同一平面上に位置している。そして、各第１Ｕ型コア６１の第１Ｕ型コア第１脚部６１ｂの先端部、及び各Ｅ型コア６３のＥ型コア第１外脚部６３ｂの先端部は、第１外吸着面５１ａを形成している。各第２Ｕ型コア６２の第２Ｕ型コア第１脚部６２ｂの先端部、及び各Ｅ型コア６３のＥ型コア第２外脚部６３ｃの先端部は、同一平面上に位置している。そして、各第２Ｕ型コア６２の第２Ｕ型コア第１脚部６２ｂの先端部、及び各Ｅ型コア６３のＥ型コア第２外脚部６３ｃの先端部は、第２外吸着面５２ａを形成している。各第１Ｕ型コア６１の第１Ｕ型コア第２脚部６１ｃの先端部、各Ｅ型コア６３のＥ型コア中央脚部６３ｄの先端部、及び各第２Ｕ型コア６２の第２Ｕ型コア第２脚部６２ｃの先端部は、同一平面上に位置している。そして、各第１Ｕ型コア６１の第１Ｕ型コア第２脚部６１ｃの先端部、各Ｅ型コア６３のＥ型コア中央脚部６３ｄの先端部、及び各第２Ｕ型コア６２の第２Ｕ型コア第２脚部６２ｃの先端部は、中央吸着面５３ａを形成している。
【００４８】
第１外吸着面５１ａ、第２外吸着面５２ａ、及び中央吸着面５３ａの幅はそれぞれ同じである。第１外吸着面５１ａにおける積層方向の長さと第２外吸着面５２ａにおける積層方向の長さとは同じである。中央吸着面５３ａにおける積層方向の長さは、第１外吸着面５１ａにおける積層方向の長さ、及び第２外吸着面５２ａにおける積層方向の長さよりも長い。したがって、中央吸着面５３ａの面積は、第１外吸着面５１ａの面積、及び第２外吸着面５２ａの面積よりも大きい。
【００４９】
図３に示すように、固定鉄心４３の第１外脚部５１の外側には、筒状の第１ボビン４５ａが設けられている。また、固定鉄心４３の第２外脚部５２の外側には、筒状の第２ボビン４５ｂが設けられている。第１ボビン４５ａ及び第２ボビン４５ｂにはコイル４１がそれぞれ巻回されている。よって、コイル４１は、第１外脚部５１の外側及び第２外脚部５２の外側にそれぞれ巻回されている。
【００５０】
固定鉄心４３及び各コイル４１は、ハウジング１３に樹脂モールドされている。固定鉄心４３の第１外吸着面５１ａ、第２外吸着面５２ａ、及び中央吸着面５３ａは、ハウジング１３におけるボディ１１側の端面１３ａから露出している。第１外吸着面５１ａ、第２外吸着面５２ａ、及び中央吸着面５３ａは、ハウジング１３の端面１３ａと同一平面上に位置している。そして、ハウジング１３の端面１３ａ、第１外吸着面５１ａ、第２外吸着面５２ａ、中央吸着面５３ａ、収容孔１４ｈの内周面、及び第３段差面１４３によってプランジャ４２を収容するプランジャ室４６が形成されている。よって、ボディ１１は、プランジャ室４６を形成している。
【００５１】
プランジャ４２におけるハウジング１３側の端面４２ａは、固定鉄心４３の第１外吸着面５１ａ、第２外吸着面５２ａ、及び中央吸着面５３ａに対向している。プランジャ４２の端面４２ａには、円環状の収容溝４２ｈが形成されている。収容溝４２ｈ内には、プランジャばね４４が収容されている。プランジャばね４４はコイルスプリングである。プランジャばね４４の一端は、収容溝４２ｈの底面に支持されるとともに、プランジャばね４４の他端はハウジング１３の端面１３ａに支持されている。プランジャばね４４は、プランジャ室４６内において、プランジャ４２とハウジング１３の端面１３ａとの間に介在されている。
【００５２】
また、プランジャ４２におけるハウジング１３とは反対側の端面４２ｂには、当接部材４７が一体に取り付けられている。当接部材４７は、第２プラグ２７内に収容されて、第２弁棒３２に当接している。
【００５３】
ハウジング１３におけるボディ１１とは反対側の端部には、有底筒状のカバー４８が取り付けられている。カバー４８内には、制御基板４９が収容されている。制御基板４９は、各コイル４１に電気的に接続されている。また、制御基板４９には外部端子４９ａが接続されている。そして、各コイル４１には、外部端子４９ａから制御基板４９を介して電力が供給される。
【００５４】
図６に示すように、ハウジング１３は、各第１Ｕ型コア６１、各Ｅ型コア６３、及び各第２Ｕ型コア６２の積層方向で第１Ｕ型コア６１側に位置する第１基準外面１３１と、各第１Ｕ型コア６１、各Ｅ型コア６３、及び各第２Ｕ型コア６２の積層方向で第２Ｕ型コア６２側に位置する第２基準外面１３２と、を有している。第１基準外面１３１及び第２基準外面１３２は互いに平行に延びている。そして、固定鉄心４３は、第１基準外面１３１及び第２基準外面１３２に対して傾いた状態でハウジング１３に対して配置されている。
【００５５】
ハウジング１３には、第１Ｕ型コア６１における第１外脚部５１の少なくとも一部分を形成する部位と第１基準外面１３１との間、及び第２Ｕ型コア６２における第２外脚部５２の少なくとも一部分を形成する部位と第２基準外面１３２との間に、ボルト１２がねじ込まれる雌ねじ孔１３ｈがそれぞれ形成されている。ハウジング１３は、各ボルト１２がボディ１１のフランジ部１１ｂを貫通して各雌ねじ孔１３ｈにそれぞれねじ込まれることによりボディ１１に取り付けられている。
【００５６】
次に、第１の実施形態の作用について説明する。
各コイル４１への通電が行われると、固定鉄心４３及びプランジャ４２を通過する磁束が生じ、プランジャ４２がプランジャばね４４の付勢力に抗して第１外吸着面５１ａ、第２外吸着面５２ａ、及び中央吸着面５３ａに接近する方向へ移動する。そして、プランジャ４２の端面４２ａが第１外吸着面５１ａ、第２外吸着面５２ａ、及び中央吸着面５３ａに吸着される。
【００５７】
このとき、プランジャ４２が固定鉄心４３に対して傾こうとしても、中央吸着面５３ａとプランジャ４２の端面４２ａとの間で生じる吸引力によって、プランジャ４２における固定鉄心４３に対する傾きが抑えられる。したがって、プランジャ４２が固定鉄心４３に対して傾いて、第１外吸着面５１ａとプランジャ４２の端面４２ａとの間の距離と、第２外吸着面５２ａとプランジャ４２の端面４２ａとの間の距離とに差が大きくなってしまうことが抑えられる。
【００５８】
さらに、中央吸着面５３ａの面積が、第１外吸着面５１ａの面積、及び第２外吸着面５２ａの面積よりも大きいため、例えば、中央吸着面５３ａの面積が、第１外吸着面５１ａの面積、及び第２外吸着面５２ａの面積以下である場合に比べると、中央吸着面５３ａに磁束が流れ易くなり、固定鉄心４３が磁気飽和することが抑制されている。その結果、第１外吸着面５１ａとプランジャ４２の端面４２ａとの間、第２外吸着面５２ａとプランジャ４２の端面４２ａとの間、及び中央吸着面５３ａとプランジャ４２の端面４２ａとの間で生じる吸引力が小さくなってしまうことが抑制されるため、プランジャ４２が固定鉄心４３に対して傾いてしまうことが抑制される。
【００５９】
プランジャ４２の移動に伴い、第１弁棒３１及び第２弁棒３２が、弁ばね３３の付勢力によって、第１弁体３１ａが第１排出弁座２５から離間するとともに第２弁体３２ａが第２供給弁座２２から離間する方向へ移動し、第１弁体３１ａが第１供給弁座２１に着座するとともに第２弁体３２ａが第２排出弁座２９に着座する。これにより、小径孔１４ｄ及び第１弁室２６を介した供給ポート１５と第１出力ポート１６との連通が遮断されるとともに第１出力ポート１６と第１排出ポート１８とが第１弁室２６、第１プラグ２３の内側、及び連通孔２３ｂを介して連通する。また、供給ポート１５と第２出力ポート１７とが小径孔１４ｄ及び第２弁室３０を介して連通するとともに第２弁室３０、第２プラグ２７の内側、及び連通孔２７ｂを介した第２出力ポート１７と第２排出ポート１９との連通が遮断される。
【００６０】
各コイル４１への通電が停止されると、固定鉄心４３及びプランジャ４２を通過する磁束が生じなくなり、プランジャ４２が、プランジャばね４４の付勢力によって第１外吸着面５１ａ、第２外吸着面５２ａ、及び中央吸着面５３ａから離間する方向へ移動し、弁ばね３３の付勢力に抗して第１弁棒３１及び第２弁棒３２を押圧する。そして、第１弁棒３１及び第２弁棒３２が、第１弁体３１ａが第１供給弁座２１から離間するとともに第２弁体３２ａが第２排出弁座２９から離間する方向へ移動し、第１弁体３１ａが第１排出弁座２５に着座するとともに第２弁体３２ａが第２供給弁座２２に着座する。これにより、供給ポート１５と第１出力ポート１６とが小径孔１４ｄ及び第１弁室２６を介して連通するとともに第１弁室２６、第１プラグ２３の内側、及び連通孔２３ｂを介した第１出力ポート１６と第１排出ポート１８との連通が遮断される。また、小径孔１４ｄ及び第２弁室３０を介した供給ポート１５と第２出力ポート１７との連通が遮断されるとともに第２出力ポート１７と第２排出ポート１９とが第２弁室３０、第２プラグ２７の内側、及び連通孔２７ｂを介して連通する。
【００６１】
このように、電磁弁１０においては、第１弁体３１ａにおける第１供給弁座２１に対する接離、及び第２弁体３２ａにおける第２供給弁座２２に対する接離が行われることにより流路が切り換えられる。
【００６２】
第１の実施形態では以下の効果を得ることができる。
（１−１）固定鉄心４３は、ベース部５０と、ベース部５０から立設される第１外脚部５１、第２外脚部５２、及び中央脚部５３とを有するＥ字型である。第１外脚部５１におけるベース部５０とは反対側の端面は、プランジャ４２を吸着する第１外吸着面５１ａである。第２外脚部５２におけるベース部５０とは反対側の端面は、プランジャ４２を吸着する第２外吸着面５２ａである。中央脚部５３におけるベース部５０とは反対側の端面は、プランジャ４２を吸着する中央吸着面５３ａである。これによれば、プランジャ４２が固定鉄心４３に対して傾こうとしても、中央吸着面５３ａとプランジャ４２との間で生じる吸引力によって、プランジャ４２における固定鉄心４３に対する傾きが抑えられる。したがって、プランジャ４２が固定鉄心４３に対して傾いて、第１外吸着面５１ａとプランジャ４２との間の距離と、第２外吸着面５２ａとプランジャ４２との間の距離とに差が大きくなってしまうことが抑えられる。さらに、中央吸着面５３ａの面積が、第１外吸着面５１ａの面積、及び第２外吸着面５２ａの面積よりも大きいため、例えば、中央吸着面５３ａの面積が、第１外吸着面５１ａの面積、及び第２外吸着面５２ａの面積以下である場合に比べると、中央吸着面５３ａに磁束が流れ易くなり、固定鉄心４３が磁気飽和することを抑制できる。その結果、第１外吸着面５１ａとプランジャ４２との間、第２外吸着面５２ａとプランジャ４２との間、及び中央吸着面５３ａとプランジャ４２との間で生じる吸引力が小さくなってしまうことを抑制できるため、プランジャ４２が固定鉄心４３に対して傾いてしまうことを抑制できる。以上のことから、固定鉄心４３が磁気飽和することを抑制できるとともに、プランジャ４２が固定鉄心４３に対して傾いてしまうことを抑制できる。
【００６３】
（１−２）固定鉄心４３は、第１Ｕ型コア６１及び第２Ｕ型コア６２を少なくとも積層することにより構成されている。これによれば、中央吸着面５３ａの面積が、第１外吸着面５１ａの面積、及び第２外吸着面５２ａの面積よりも大きい構成の固定鉄心４３を、第１Ｕ型コア６１及び第２Ｕ型コア６２を少なくとも積層するだけで形成することができる。
【００６４】
（１−３）固定鉄心４３は、第１Ｕ型コア６１、Ｅ型コア６３、及び第２Ｕ型コア６２の順に積層することにより構成されている。これによれば、第１Ｕ型コア６１を、Ｅ型コア６３における第１Ｕ型コア６１、Ｅ型コア６３、及び第２Ｕ型コア６２の積層方向の一端側に積層し、第２Ｕ型コア６２を、Ｅ型コア６３における第１Ｕ型コア６１、Ｅ型コア６３、及び第２Ｕ型コア６２の積層方向の他端側に積層することにより固定鉄心４３を形成することができる。したがって、第１Ｕ型コア６１、第２Ｕ型コア６２、及びＥ型コア６３の積層作業を安定的に行うことができる。
【００６５】
（１−４）固定鉄心４３は、ハウジング１３の第１基準外面１３１及び第２基準外面１３２に対して傾いた状態でハウジング１３に対して配置されている。そして、ハウジング１３には、第１Ｕ型コア６１における第１外脚部５１の少なくとも一部分を形成する部位と第１基準外面１３１との間、及び第２Ｕ型コア６２における第２外脚部５２の少なくとも一部分を形成する部位と第２基準外面１３２との間に、ボルト１２がねじ込まれる雌ねじ孔１３ｈがそれぞれ形成されている。これによれば、第１基準外面１３１及び第２基準外面１３２に対して固定鉄心４３を傾けたことにより生じるハウジング１３のスペースに雌ねじ孔１３ｈを形成することができる。よって、ハウジング１３の体格を小型化することができ、電磁弁１０全体の体格の小型化を図ることができる。
【００６６】
（１−５）コイル４１は、第１外脚部５１の外側及び第２外脚部５２の外側にそれぞれ巻回されている。これによれば、例えば、中央脚部５３の外側のみにコイル４１を巻回して、第１外吸着面５１ａとプランジャ４２との間、第２外吸着面５２ａとプランジャ４２との間、及び中央吸着面５３ａとプランジャ４２との間で生じる吸引力を担保する場合に比べると、コイル４１の体格を小さくすることができる。その結果、電磁弁１０全体の体格の小型化を図ることができる。
【００６７】
（１−６）中央吸着面５３ａの面積が、第１外吸着面５１ａの面積、及び第２外吸着面５２ａの面積よりも大きい構成の固定鉄心４３を形成するために、例えば、二つのＵ型コアを幅方向に並べて隣り合う脚部同士を中央脚部とすることが考えられるが、この場合、二つのＵ型コアを幅方向に並べる分だけ、固定鉄心４３の幅方向の体格が大型化する。しかし、本実施形態では、第１Ｕ型コア６１、Ｅ型コア６３、及び第２Ｕ型コア６２を積層するだけで、中央吸着面５３ａの面積が、第１外吸着面５１ａの面積、及び第２外吸着面５２ａの面積よりも大きい構成の固定鉄心４３を形成することができるため、固定鉄心４３の幅方向の体格を小型化することができる。
【００６８】
（１−７）二つのＵ型コアを幅方向に並べて固定鉄心４３を形成する場合、第１外吸着面５１ａ、第２外吸着面５２ａ、及び中央吸着面５３ａの平面度が出難い。よって、第１外吸着面５１ａ、第２外吸着面５２ａ、及び中央吸着面５３ａの平面度を出すために、二つのＵ型コアがハウジング１３に樹脂モールドされた後にハウジング１３の端面１３ａと共に第１外吸着面５１ａ、第２外吸着面５２ａ、及び中央吸着面５３ａを研磨する必要があり、製造が困難なものとなる。そこで、本実施形態では、第１Ｕ型コア６１、Ｅ型コア６３、及び第２Ｕ型コア６２を積層することにより固定鉄心４３を形成するため、第１外吸着面５１ａ、第２外吸着面５２ａ、及び中央吸着面５３ａの平面度が出し易い。また、第１Ｕ型コア６１、Ｅ型コア６３、及び第２Ｕ型コア６２を積層することにより形成された固定鉄心４３の第１外吸着面５１ａ、第２外吸着面５２ａ、及び中央吸着面５３ａを、ハウジング１３に樹脂モールドする前に研磨することができるため、製造が容易なものとなる。
【００６９】
（第２の実施形態）
以下、電磁弁を具体化した第２の実施形態を図７〜図９にしたがって説明する。なお、以下に説明する実施形態では、既に説明した第１の実施形態と同一構成について同一符号を付すなどして、その重複する説明を省略又は簡略する。
【００７０】
図７及び図８に示すように、各第１Ｕ型コア６１の第１Ｕ型コアベース部６１ａは、第１Ｕ型コア第１脚部６１ｂ側の部位が、第１Ｕ型コア第２脚部６１ｃ側の部位よりもＥ型コア６３寄りにオフセットされるように屈曲形成されている。よって、各第１Ｕ型コア６１の第１Ｕ型コア第１脚部６１ｂは、第１Ｕ型コア第２脚部６１ｃよりもＥ型コア６３寄りにオフセットしている。
【００７１】
各第２Ｕ型コア６２の第２Ｕ型コアベース部６２ａは、第２Ｕ型コア第１脚部６２ｂ側の部位が、第２Ｕ型コア第２脚部６２ｃ側の部位よりもＥ型コア６３寄りにオフセットされるように屈曲形成されている。よって、各第２Ｕ型コア６２の第２Ｕ型コア第１脚部６２ｂは、第２Ｕ型コア第２脚部６２ｃよりもＥ型コア６３寄りにオフセットしている。
【００７２】
各Ｅ型コア６３のＥ型コアベース部６３ａは、Ｅ型コア第１外脚部６３ｂ側の部位がＥ型コア中央脚部６３ｄ側の部位よりも第２Ｕ型コア６２寄りにオフセットされており、Ｅ型コア第２外脚部６３ｃ側の部位がＥ型コア中央脚部６３ｄ側の部位よりも第１Ｕ型コア６１寄りにオフセットされるように屈曲形成されている。よって、各Ｅ型コア６３のＥ型コア第１外脚部６３ｂは、Ｅ型コア中央脚部６３ｄよりも第２Ｕ型コア６２寄りにオフセットされており、各Ｅ型コア６３のＥ型コア第２外脚部６３ｃは、Ｅ型コア中央脚部６３ｄよりも第１Ｕ型コア６１寄りにオフセットされている。
【００７３】
図９に示すように、第１外脚部５１におけるＥ型コア第１外脚部６３ｂ側の端面と、中央脚部５３における第２Ｕ型コア第２脚部６２ｃ側の端面とは、各第１Ｕ型コア６１、各Ｅ型コア６３、及び各第２Ｕ型コア６２の積層方向で同じに位置ある。第２外脚部５２におけるＥ型コア第２外脚部６３ｃ側の端面と、中央脚部５３における第１Ｕ型コア第２脚部６１ｃ側の端面とは、各第１Ｕ型コア６１、各Ｅ型コア６３、及び各第２Ｕ型コア６２の積層方向で同じに位置ある。
【００７４】
各第１Ｕ型コア６１における第１外脚部５１を形成する部位である第１Ｕ型コア第１脚部６１ｂは、各第１Ｕ型コア６１における中央脚部５３を形成する部位である第１Ｕ型コア第２脚部６１ｃよりもハウジング１３の第２基準外面１３２寄りにオフセットしている。各第２Ｕ型コア６２における第２外脚部５２を形成する部位である第２Ｕ型コア第１脚部６２ｂは、各第２Ｕ型コア６２における中央脚部５３を形成する部位である第２Ｕ型コア第２脚部６２ｃよりもハウジング１３の第１基準外面１３１寄りにオフセットしている。
【００７５】
そして、ハウジング１３には、第１Ｕ型コア６１における第１外脚部５１の少なくとも一部分を形成する部位と第１基準外面１３１との間、及び第２Ｕ型コア６２における第２外脚部５２の少なくとも一部分を形成する部位と第２基準外面１３２との間に、ボルト１２がねじ込まれる雌ねじ孔１３ｈがそれぞれ形成されている。
【００７６】
第２の実施形態では、第１の実施形態の作用及び効果（１−１）、（１−２）、（１−３）、（１−５）、（１−６）、（１−７）と同様の効果に加えて、以下の効果を得ることができる。
【００７７】
（２−１）第１Ｕ型コア６１における第１外脚部５１を形成する部位は、第１Ｕ型コア６１における中央脚部５３を形成する部位よりも第２基準外面１３２寄りにオフセットし、第２Ｕ型コア６２における第２外脚部５２を形成する部位は、第２Ｕ型コア６２における中央脚部５３を形成する部位よりも第１基準外面１３１寄りにオフセットしている。そして、ハウジング１３には、第１Ｕ型コア６１における第１外脚部５１の少なくとも一部分を形成する部位と第１基準外面１３１との間、及び第２Ｕ型コア６２における第２外脚部５２の少なくとも一部分を形成する部位と第２基準外面１３２との間に、ボルト１２がねじ込まれる雌ねじ孔１３ｈがそれぞれ形成されている。これによれば、第１Ｕ型コア６１における第１外脚部５１を形成する部位を、第１Ｕ型コア６１における中央脚部５３を形成する部位よりも第２基準外面１３２寄りにオフセットさせたことにより生じるハウジング１３のスペースに雌ねじ孔１３ｈを形成することができる。また、第２Ｕ型コア６２における第２外脚部５２を形成する部位を、第２Ｕ型コア６２における中央脚部５３を形成する部位よりも第１基準外面１３１寄りにオフセットさせたことにより生じるハウジング１３のスペースに雌ねじ孔１３ｈを形成することができる。よって、ハウジング１３の体格を小型化することができ、電磁弁１０全体の体格の小型化を図ることができる。
【００７８】
なお、上記各実施形態は、以下のように変更して実施することができる。上記各実施形態及び以下の変更例は、技術的に矛盾しない範囲で互いに組み合わせて実施することができる。
【００７９】
・  図１０及び図１１に示すように、固定鉄心４３は、Ｅ型コア６３を用いずに、第１Ｕ型コア６１及び第２Ｕ型コア６２を積層することにより形成されていてもよい。この場合、固定鉄心４３の第１外脚部５１は、第１Ｕ型コア６１の第１Ｕ型コア第１脚部６１ｂによって形成されている。固定鉄心４３の第２外脚部５２は、第２Ｕ型コア６２の第２Ｕ型コア第１脚部６２ｂによって形成されている。固定鉄心４３の中央脚部５３は、第１Ｕ型コア６１の第１Ｕ型コア第２脚部６１ｃ及び第２Ｕ型コア６２の第２Ｕ型コア第２脚部６２ｃによって形成されている。要は、固定鉄心４３は、第１Ｕ型コア６１と、第２Ｕ型コア６２と、を少なくとも有し、第１Ｕ型コア６１及び第２Ｕ型コア６２を少なくとも積層することにより構成されていればよい。
【００８０】
・  第２の実施形態において、第１外脚部５１におけるＥ型コア第１外脚部６３ｂ側の端面と、中央脚部５３における第２Ｕ型コア第２脚部６２ｃ側の端面とが、各第１Ｕ型コア６１、各Ｅ型コア６３、及び各第２Ｕ型コア６２の積層方向で互いにずれた位置にあってもよい。また、第２外脚部５２におけるＥ型コア第２外脚部６３ｃ側の端面と、中央脚部５３における第１Ｕ型コア第２脚部６１ｃ側の端面とが、各第１Ｕ型コア６１、各Ｅ型コア６３、及び各第２Ｕ型コア６２の積層方向で互いにずれた位置にあってもよい。
【００８１】
・  上記各実施形態において、第１Ｕ型コア第１脚部６１ｂ、第１Ｕ型コア第２脚部６１ｃ、第２Ｕ型コア第１脚部６２ｂ、第２Ｕ型コア第２脚部６２ｃ、Ｅ型コア第１外脚部６３ｂ、Ｅ型コア第２外脚部６３ｃ、及びＥ型コア中央脚部６３ｄそれぞれの幅を適宜変更してもよい。この場合であっても、中央吸着面５３ａの面積が、第１外吸着面５１ａの面積、及び第２外吸着面５２ａの面積よりも大きい必要がある。
【００８２】
・  上記各実施形態において、第１Ｕ型コア６１、第２Ｕ型コア６２、及びＥ型コア６３の数を適宜変更してもよい。
・  上記各実施形態において、例えば、中央脚部５３の外側のみにコイル４１が巻回されていてもよい。
【００８３】
・  上記各実施形態において、固定鉄心４３を、第１Ｕ型コア６１、第２Ｕ型コア６２、及びＥ型コア６３を積層することにより形成するのではなく、Ｅ字型のコア部材自体を固定鉄心４３として用いてもよい。
【００８４】
・  上記各実施形態において、例えば、二つのＵ型コアを幅方向に並べて隣り合う脚部同士を中央脚部とし、中央吸着面５３ａの面積が、第１外吸着面５１ａの面積、及び第２外吸着面５２ａの面積よりも大きい構成となる固定鉄心４３を形成してもよい。
【００８５】
・  上記各実施形態において、電磁弁１０は、例えば、供給ポート、出力ポート、排出ポートが一つずつボディ１１に形成された３ポート切換弁であってもよい。
【符号の説明】
【００８６】
１０…電磁弁、１１…ボディ、１２…ボルト、１３…ハウジング、１３ｈ…雌ねじ孔、４０…ソレノイド、４１…コイル、４２…プランジャ、４３…固定鉄心、４４…プランジャばね、４６…プランジャ室、５０…ベース部、５１…第１外脚部、５１ａ…第１外吸着面、５２…第２外脚部、５２ａ…第２外吸着面、５３…中央脚部、５３ａ…中央吸着面、６１…第１Ｕ型コア、６２…第２Ｕ型コア、６３…Ｅ型コア、１３１…第１基準外面、１３２…第２基準外面。
【図１】
2020037960.tif 000003
【図２】
2020037960.tif 000004
【図３】
2020037960.tif 000005
【図４】
2020037960.tif 000006
【図５】
2020037960.tif 000007
【図６】
2020037960.tif 000008
【図７】
2020037960.tif 000009
【図８】
2020037960.tif 000010
【図９】
2020037960.tif 000011
【図１０】
2020037960.tif 000012
【図１１】
2020037960.tif 000013